(57)【特許請求の範囲】
【請求項１】
利用者によって操作される複数の利用者端末に対し通信ネットワークを介して接続される問題作成支援サーバと、少なくとも該問題作成支援サーバから参照可能に接続され前記利用者端末から指定される問題用紙を記録する問題用紙データベース、前記問題作成支援サーバから参照可能に接続され前記利用者端末から指定される学年、教科及び問題形式別に問題を記録する問題テーブルを有するとともに問題の解答、難易度、所要時間、累積採用回数、問題経歴の項目を含む問題関連テーブルを有する問題登録データベースからなるデータベース群と、前記問題作成支援サーバと前記利用者端末との間で情報を相互に供給するインターフェース装置とを備え、かつ前記問題作成支援サーバは、前記利用者端末から指定される学年、教科及び問題用紙種類に基づいて前記問題用紙データベースから１つの問題用紙を読み出すとともに、さらに指定される問題形式に基づいて前記問題登録データベースから該当する問題を検索する問題検索手段と、該問題検索手段で検索された問題のうち前記利用者端末から指定した問題を選択する問題選択手段と、該問題選択手段で選択された問題を前記問題用紙に配置した情報を生成する問題配置手段とを有し、この生成した情報を前記インターフェース装置を介して前記利用者端末へ送信し、かつ前記複数の利用者端末のいずれからも前記データベース群の問題登録データベースの問題テーブルへ記録する新たな問題を登録するとともに前記問題関連テーブルの更新処理を可能とする問題更新手段を有することを特徴とする試験問題の作成支援システム。
【請求項２】
前記データベース群は、前記問題作成支援サーバから参照可能に接続され前記利用者端末から指定される教科についての設問種類に対する設問内容を記録する設問登録データベースをさらに備えることを特徴とする請求項１記載の試験問題の作成支援システム。
【請求項３】
前記データベース群は、前記問題作成支援サーバから参照可能に接続され前記利用者端末から指定される教科と問題形式の種類に対する具体的な内容を記録する問題形式データベースをさらに備えることを特徴とする請求項１記載の試験問題の作成支援システム。
【発明の詳細な説明】
【０００１】
【発明の属する技術分野】
本発明は、各種学校あるいは教育の場において行われる各種教科の試験問題を通信ネットワークを介して作成支援する試験問題の作成支援システムに関するものである。
【０００２】
【従来の技術】
従来、各種学校の教育に携わる先生は、生徒の理解度を計るために教科毎に各種の試験を行っている。このような試験は、生徒の習熟度に合わせて、先生が独自の問題を作成するか、過去に使用された問題あるいは市販された本に記載されている問題を選択することにより作成していた。
【０００３】
【発明が解決しようとする課題】
しかしながら、このような試験問題の作成は、煩雑で多くの時間と労力を必要としていた。特に、小学校あるいは中学校等において一人の先生が生徒の受持ちを単独で行う場合等には、多数の教科の試験問題を作成することになり、広汎に試験情報を得ることが困難であった。また、先生が自分の生徒の理解度に合わせて試験問題を作成するときにも、他の学校の先生がどのような問題を採用して生徒に試験を行っているか、あるいはその生徒の教科の進み具合や理解度を知ることはできなかた。
【０００４】
本発明は上記事情に鑑みなされたもので、試験問題が短時間で容易に作成でき、他の先生との間で試験問題に関する情報交換が可能になる試験問題の作成支援システムを提供することを目的とする。
【０００５】
【課題を解決するための手段】
上記目的を達成するために請求項１に記載の発明にあっては、利用者によって操作される複数の利用者端末に対し通信ネットワークを介して接続される問題作成支援サーバと、少なくとも該問題作成支援サーバから参照可能に接続され前記利用者端末から指定される問題用紙を記録する問題用紙データベース、前記問題作成支援サーバから参照可能に接続され前記利用者端末から指定される学年、教科及び問題形式別に問題を記録する問題テーブルを有するとともに問題の解答、難易度、所要時間、累積採用回数、問題経歴の項目を含む問題関連テーブルを有する問題登録データベースからなるデータベース群と、前記問題作成支援サーバと前記利用者端末との間で情報を相互に供給するインターフェース装置とを備え、かつ前記問題作成支援サーバは、前記利用者端末から指定される学年、教科及び問題用紙種類に基づいて前記問題用紙データベースから１つの問題用紙を読み出すとともに、さらに指定される問題形式に基づいて前記問題登録データベースから該当する問題を検索する問題検索手段と、該問題検索手段で検索された問題のうち前記利用者端末から指定した問題を選択する問題選択手段と、該問題選択手段で選択された問題を前記問題用紙に配置した情報を生成する問題配置手段とを有し、この生成した情報を前記インターフェース装置を介して前記利用者端末へ送信するとともに、該利用者端末からも前記データベース群の更新処理を可能とする問題更新手段を有することを特徴とするものである。試験問題が短時間で容易に作成でき、他の先生との間で試験問題に関する情報交換が可能になり、また問題テーブルで学年、教科及び問題形式別に問題を検索して選択でき、その選択の際に問題関連テーブルを参考にすることができ、さらに問題を難易度、所要時間、累積採用回数、問題経歴を参照することで選択が容易になる。
【０００６】
請求項２に記載の発明にあっては、前記データベース群は、前記問題作成支援サーバから参照可能に接続され前記利用者端末から指定される教科についての設問種類に対する設問内容を記録する設問登録データベースをさらに備えることを特徴とするものである。設問種類を検索して選択することができる。
【０００７】
請求項３記載の発明にあっては、前記データベース群は、前記問題作成支援サーバから参照可能に接続され前記利用者端末から指定される教科と問題形式の種類に対する具体的な内容を記録する問題形式データベースをさらに備えることを特徴とするものである。問題形式に対応させて問題を検索し選択することができる。
【００１１】
【発明の実施の形態】
以下、本発明を図示の一実施形態により具体的に説明する。図１〜図７は本発明実施形態の試験問題の作成支援システムを説明する図であり、図１はネットワーク構成を説明する図、図２は問題作成支援サーバとデータベースの構成を説明するブロック図、図３は利用者登録データベースを構成する利用者テーブルを説明する図、図４は問題登録データベースの一部を構成する問題テーブルを説明する図、図５は問題登録データベースの一部を構成する問題関連テーブルを説明する図、図６は設問登録データベースを構成する設問テーブルを説明する図、図７は問題形式データベースを構成する問題形式テーブルを説明する図である。
【００１２】
これらの図において、本実施形態の試験問題の作成支援システム１０は、通信ネットワーク１１に、複数の利用者端末１２−１〜１２−ｎ（ｎは任意の自然数）、問題作成支援サーバ１３及びデータベース群１４が相互に接続されており、任意の利用者端末１２から問題作成支援サーバ１３にアクセスし、この問題作成支援サーバ１３においてデータベース群１４を参照して問題の検索、選択を行うとともにその問題を問題用紙へ配置した情報を生成し、その生成した情報を利用者端末１２へ送信するシステムである。
【００１３】
通信ネットワーク１１は、利用者端末１２及び問題作成支援サーバ１３を接続業者の設備により、公衆回線を介して相互に接続可能に構成したインターネット等であるが、類似の機能を有するものであれば、他の規格の専用回線網、広域情報通信網等のネットワーク、あるいは公衆回線を使用しないローカルエリアネットワークで構成されるネットワークでもよい。
【００１４】
利用者端末１２は、パーソナルコンピュータシステムであり、それぞれ通信ネットワーク１１にモデム回路等を使用することにより接続可能に構成された汎用のコンピュータ装置１５、ディスプレイ装置１６及びプリンタ装置１７等を備えている。このコンピュータ装置１５は、ファイルを閲覧するための所定のブラウザを備え、任意のリンク先を指定して通信ネットワーク１１上のサーバのウェブサイトに接続し、そのウェブページをディスプレイ装置１６に表示したり、プリンタ装置１７で印字することができるように構成されている。
【００１５】
問題作成支援サーバ１３は、コンピュータシステムであり、通信ネットワーク１１にインターフェース回路１８を介して接続され、本発明の問題作成支援システムとして、利用者端末１２から指定される要求に応じて問題作成のための各種選択画面を提供しデータベース群１４を参照して問題の検索、選択、配置を実行し、利用者端末１２へ送信する情報を生成する部分であり、利用者端末１２は、問題作成支援サーバ１３に割り当てられたリンク先を指定して、そのウェブサイトを参照できるように構成されている。この問題作成支援サーバ１３は、新規利用者を後に詳細に説明する利用者登録データベース２３に登録したり、あるいは登録された利用者を利用者登録データベース２３を参照して確認等の処理を実行する利用者登録手段１９、及び問題の作成や更新の処理を実行する問題処理手段２０等から構成されている。この問題処理手段２０は、データベース群１４を参照して問題の検索を実行する問題検索手段２１ａ、利用者が指定した問題の選択を実行する問題選択手段２１ｂ、及び選択した問題を所定の問題用紙に配置した情報を生成する問題配置手段２１ｃとから構成される問題作成手段２１と、データベース群１４の更新処理を行う問題更新手段２２とから構成されている。
【００１６】
データベース群１４は、登録した利用者を記録するための利用者登録データベース２３と、教科毎の問題用紙を記録するための問題用紙データベース２４と、教科や問題形式に適した設問を記録するための設問登録データベース２５と、教科ごとの問題形式を記録するための問題形式データベース２６と、問題及び関連する情報を記録するための問題登録データベース２７とから構成されている。
【００１７】
利用者登録データベース２３は、図３の利用者テーブルに示すように、利用者を識別するための「利用者ＩＤ」、「利用者名」、「利用者住所」、「登録日」及び利用者端末１２から問題作成支援サーバ１３へアクセスするときの暗証番号となる「パスワード」等の項目を利用者ごとに記録する部分である。この利用者テーブルにおいて、例えば、利用者ＩＤが「０００１」の利用者名の「Ａ」さんは、住所が「石川県金沢市…」、登録日が２００１年４月５日である「０１０４０５」、パスワードが「ａｂｃｄ」であることを示している。
【００１８】
問題用紙データベース２４は、教科に対応して問題を配置するための用紙の形式や表題を表示するための情報を記録する部分である。後の初期選択画面を示す図９に表示されているように、英語の用紙１では、問題用紙の上部に記載される表題として、「○△学校期末試験」等のように任意に入力できる領域と、その下部に「英語  学年  学期」、試験を実施する「年月日」と生徒の「氏名」、試験時間の「時間」、採点結果を記入するための「得点／１００」等の文字を記録した領域と、その下部側には選択された問題を配置する領域とが設けられているものである。
【００１９】
設問登録データベース２５は、図６の設問登録テーブルに示すように、「教科」、設問の種類に対する一貫番号である「設問種類Ｎｏ．」、「設問内容」等の項目を記録する部分である。この設問登録テーブルにおいて、教科が数学（ｍ）の第１番目の設問種類Ｎｏ．「１」の内容は、「次の式を文字式にしたがって表しなさい。」、教科が英語（ｅ）の第１番目の設問種類Ｎｏ．「１」の内容は、「次の各組の下線部の発音が同じ場合は○、違う場合は×で答えなさい。」である。
【００２０】
問題形式データベース２６は、問題の種類を類型化するためのもので、図７の問題形式テーブルに示すように、教科と問題形式の種類に対する一貫番号である「問題形式」、その具体的な内容である「内容」等の項目を記録する部分である。この問題形式テーブルにおいて、例えば、、問題形式が英語の「ｅ１」〜「ｅ９」の内容は、それぞれ「英語の単語」、「英語の和訳」、「英作文」、「発音、アクセント」、「英語の長文」、「英語の書き換え」、「英語の空欄補充」、「適語、適分選択」、「並び替え」であり、問題形式が数学の「ｍ１」〜「ｍ９」の内容は、それぞれ「数学計算」、「数学計算（不等式）」、「数学計算（文字式）」、「文章題」、「代入と方程式」、「図形」、「座標とグラフ」、「その他１」、「その他２」である。
【００２１】
問題登録データベース２７は、例えば、中学校や高校等の学校ごとの問題テーブルと問題関連テーブルとから構成されている。この問題テーブルは、利用者により選択される問題を記録しており、図４に示すように、「問題Ｎｏ．」、「学年」、「教科」、「問題形式」、「問題」等の項目を記録する部分である。「問題Ｎｏ．」は、学校と学年と教科と問題の一貫番号とを組み合わせた番号で構成され、例えば、学校は中学校を「ｊ」、高校を「ｈ」、教科は数学を「ｍ」、英語を「ｅ」とすると、中学１年の数学で１番目の「問題Ｎｏ．」は、「ｊ１ｍ０００１」である。「問題形式」は、問題形式テーブルに決められている問題の種類に対応している。この問題テーブルにおいて、例えば、問題Ｎｏ．が「ｊ１ｍ０００１」〜「ｊ１ｍ０００４」は、中学校１年の問題形式が１番目の数学計算に相当する問題で、それぞれ「ａ×（−１）＝」、「ｂ×ａ×０．１＝」、「ｘ×４×ｘ×ｘ＝」、「ａ÷４−３＝」であり、問題Ｎｏ．が「ｊ１ｅ０００１」〜「ｊ１ｅ０００３」は、中学校１年の問題形式が１番目の英語の単語の問題であり、それぞれ「｛everyone，pen｝」、「｛cute，bus｝」、「｛how，about｝」である。また、問題関連テーブルは、利用者が問題を選択するときに参考にするための内容を記録して、図５に示すように、問題テーブルに対応する「問題Ｎｏ．」、問題に対する「回答」、問題を難しさに応じて例えば１〜５段階にした「難易度」、問題を回答するのに要する平均的な「所要時間（分）」、過去に何回使用されたことがあることを示す「累計採用回数」、問題が登録された日を示す「登録日」、教科の一般的に採用されている「単元」、問題の参考になる作成経歴あるいは出典を示す「問題経歴」等の項目を記録する部分である。例えば、問題Ｎｏ．が「ｊ１ｍ０００１」〜「ｊ１ｍ０００４」は、それぞれ回答が「−ａ」、「０．１ａｂ」、「４ｘ３」、「ａ／４−３」、難易度が「１」、「２」、「３」、「２」、所要時間（分）が「０．１」、「０．１」、「０．２」、「０．１」、累計採用回数が「１」、「３」、「２」、「１」、登録日が「０１０４０５」、「０１０４０５」、「０１０４０５」、「０１０４１０」、単元が全て「５」、問題経歴が「平成１２年度入試」、「□△出版〜ページ」、「平成１０年度入試」、「○△出版〜ページ」であり、問題Ｎｏ．が「ｊ１ｅ０００１」〜「ｊ１ｅ０００３」は、それぞれ回答が「○」、「×」、「○」難易度が「１」、「２」、「３」、所要時間（分）が全て「０．１」、累計採用回数が「２」、「１」、「２」、登録日が「０１０４０５」、「０１０４１０」、「０１０４１０」、単元が全て「１」、問題経歴が「○×出版〜ページ」、「平成１１年度入試」、「△○出版〜ページ」である。
【００２２】
次に、本実施形態の試験問題の作成支援システムの全体動作を説明する。図８は問題作成支援サーバを中心とする動作を説明するフローチャートである。
【００２３】
同図に示すように、利用者端末１２から問題作成支援サーバ１３へアクセスし、新規に利用者登録するときには（ＳＴ１）、このサーバ１３から提供される図示しない新規登録のための画面をディスプレイ装置１６に表示させて、コンピュータ装置１５から登録事項である利用者名、利用者住所等を入力してサーバ１３へ送信すると、利用者登録手段１９により所定の登録条件を判断して利用者登録データベース２３に登録し（ＳＴ２）、利用者を識別するための利用者ＩＤ及び確定したパスワードを利用者端末１２へ送付する（ＳＴ３）。以後、問題作成や問題の登録や更新のために利用者端末１２から問題作成支援サーバ１３へアクセスするときには、付与された利用者ＩＤ及びパスワードを使用する。
【００２４】
次に、利用者端末１２から問題作成支援サーバ１３へアクセスし、新規登録でないときには、提供される画面において利用者ＩＤ及びパスワードを入力するとサーバ１３へ送信されて登録された利用者であることを確認することで（ＳＴ４）、問題処理手段２０により、問題の作成、登録または更新ができるようになる。問題の作成の場合には（ＳＴ５）、問題作成手段２１により後に詳細に説明するように問題の検索、選択、配置が実行され（ＳＴ６）、生成された情報が問題としてサーバ１３から利用者端末１２へ送信される（ＳＴ７）。この送信された問題は、コンピュータ装置１５に接続されたプリンタ装置１７により印字する。また、新たな問題の登録あるいは更新の場合には（ＳＴ８）、問題更新手段２２により問題登録・更新を実行して関連する問題に関するデータベース２４，２５，２６，２７に記録する。
【００２５】
次に、試験問題の作成の処理動作を表示画面に基づいて具体的に説明する。図９〜図１５は本発明実施形態の試験問題の作成支援システムを説明する表示画面を説明する図であり、図９は初期選択画面を示す図、図１０は設問選択画面を示す図、図１１は問題選択画面を示す図、図１２は問題選択参考画面を示す図、図１３は問題確認画面を示す図、図１４は最終確認画面を示す図、図１５は表示画面の遷移状態を説明する図である。
【００２６】
まず、試験問題の作成は、利用者端末１２のディスプレイ装置１６に、問題検索のための画面、問題選択のための画面及び選択した問題を確認するための画面を表示し、その表示画面上において問題検索あるいは問題選択のためのキー等を入力するとともに、その確定のボタンを操作することで、問題作成手段２１における問題検索手段２１ａによりデータベース群１４を参照して検索処理し、問題選択手段２１ｂにより検索した問題を選択処理し、問題配置手段２１ｃにより選択した問題を所定の試験用紙に配置処理することにより実行される。そして、試験問題に配置処理して生成された情報は、問題作成支援サーバ１３からインターフェース装置１３を介して通信ネットワーク１１で利用者端末１２に送信され、必要によりプリンタ装置１７により印字される。
【００２７】
利用者端末１２が問題作成支援サーバ１３へアクセスしたとき、最初にディスプレイ装置１６に、図９に示すような、初期選択画面３０が表示される。この初期選択画面３０は、検索のための学年、教科を入力するとともに用紙種類を選択するための画面であり、左側に検索の選択項目を表示する選択領域３１と、右側に表示領域３２が設けられている。選択領域３１は、「選択項目」の文字の下部に学年を選択するためのボタン３３、教科を選択するためのボタン３４、用紙を選択するためのボタン３５が設けられ、その下部に選択を訂正するキャンセルボタン３６及び次の画面に進むボタン３７が配置されている。例えば、学年を選択するボタン３３では中学１年が選択され、教科を選択するボタン３４では英語が選択され、用紙を選択するボタン３５では英語の１番目の用紙が選択され、それぞれ選択された項目がボックスに表示されている。用紙選択のボタン３５が押されたときには、問題用紙データベース２４に記録されている教科に対応する用紙の種類を示す番号として「英１」等のように選択可能に表示され、それを選択すると表示領域３０に、英語の１番目の用紙が図のように表示される。この用紙の表示画面では、英語の試験用紙の表題には、文字等の入力領域３８が設けられ、例えば、「○△学校期末試験」等の文字が任意に入力できるできるようになっている。試験用紙の選択が行われ、ボタン３７を押すと次の画面（設問選択画面）に移行する。
【００２８】
次に、図１０に示すような、設問選択画面４０が表示される。この設問選択画面４０は、初期選択画面３０で選択された学年、教科、用紙に続いて、設問番号と設問種類を選択するための画面であり、左側の上部に初期選択画面３０で選択された項目を示す「学年：中学１年」、「教科：英語」、「用紙：英１」の表示領域４１と、その下部に設問番号の入力領域４３、設問種類を選択するためのボタン４４、前の画面に戻るボタン４５、次の画面に進むボタン４６が設けられた選択領域４２と、右側に表示領域４７が設けられている。選択領域４２において、設問番号の入力領域４３は、１から連続番号で入力される領域であり、試験用紙の設問とともに付される番号であり、例えば、１番目の設問に対応する「１」が入力されている。設問種類のボタン４４が押されると、図６に示した設問テーブルを有する設問登録データベース２５から、教科に対応した設問内容が読み出されて表示領域４７に表示される。この表示領域４７には、上部に任意の設問を入力できる設問入力領域４８の下部に、教科に対応する読み出された設問内容として「次の各組の下線部の発音が同じ場合は○、違う場合は×で答えなさい。」等が番号順に表示されている。また、表示領域４７の設問入力領域４８及び設問内容が表示された左側には、それぞれ選択のためのチェックマーク等を入力するボックス４９が番号とともに設けられている。このボックス４９には、設問番号に対して付される設問内容として１つのみが選択できるようになっており、例えば、設問内容１番を選択するときには、対応するボックス４９にのみチェックマークを入力し、表示される設問内容で適切なものがないときには、設問入力領域４８に任意に文字を入力し０番に対応するボックス４９にチェックマークを入力する。さらに、表示領域４７は、多数の設問内容が表示できるように、必要により画面がスクロールできるように表示される。戻るボタン４５を押したときには前の初期選択画面３０に戻り、ボタン３７を押すと次の画面（問題選択画面）に移行する。
【００２９】
次に、図１１に示すような、問題選択画面５０が表示される。この問題選択画面５０は、初期選択画面３０で選択された学年、教科、用紙、及び設問選択画面４０で選択された設問番号と設問内容に続いて、問題形式を選択するための画面であり、左側の上部に初期選択画面３０及び設問選択画面４０で選択された項目を示す「学年：中学１年」、「教科：英語」、「用紙：英１」、「設問番号：１」の表示領域５１と、その下部に問題形式を選択するためのボタン５３を設けた選択領域５２と、右側に選択した内容を表示する表示領域５４と、下側に前の画面に戻るボタン５７、次へ画面へ進むボタン５８及び終了のボタン５９が設けられた領域とが設けられている。選択領域５２において、ボタン５３を押すと図７の問題形式テーブルに示すような教科の内容が問題形式データベース２６から読み出されて表示され、その内の１つを選択することで、ボタン５３の近傍のボックスに表示されるとともに、対応する教科の問題形式の問題が図４に示すような問題テーブルを有する問題登録データベース２７から読み出されて表示領域５４に表示される。本実施形態では、問題形式が英語の単語に相当する「ｅ１」が選択されたボックスに表示され、表示領域５４には、上部に設問番号を付された設問内容が「１  次の各組の下線部の発音が同じ場合は○、違う場合は×で答えなさい。」が表示され、その下部に問題形式に対応する問題が番号順に表示され、それぞれの問題の左側には選択のためにチェックマークを入力するボックス５５と、右側に問題を選択するときの参考情報を必要により表示するためのボタン５６が設けられている。チェックマークを入力するボックス５５は、複数の問題を選択することができ、本実施形態では、英語の問題形式１番目である英語の単語について、１〜３番の問題にチェックマークが入力されている。さらに、問題選択画面５０の表示領域５４は、多数の問題を表示できるようスクロールするようになっている。
【００３０】
参考情報を表示するためのボタン５６を押したときには、図１２に示すような問題選択参考画面６０が表示される。この問題選択参考画面６０は、問題を選択するときの参考になる関連情報を表示するためのものあり、図５に示すような、問題関連テーブルの内容が問題登録データベース２７から読み出されて表示される表示領域６１を有し、下部側に元の問題選択画面５０にボタン６２が設けられている。この実施形態では、問題選択画面５０の表示領域５４に表示された２番目の問題に関する情報を表示しており、「解答：×」、「難易度：２」、「所要時間：０．１分」、「採用回数：１回」、「登録日：２００１年４月１０日」、「単元：１」、「問題経歴：平成１０年度入試」が表示されている。
【００３１】
問題選択画面５０においては、戻るのボタン５７を押したときには、前の画面に戻り、次へのボタン５８を押したときには、設問選択画面４０に戻り次の設問番号と設問種類を選択し、続いて問題選択画面５０で問題を選択する操作を繰り返す。必要な設問数に対して問題の選択が終了して終了のボタン５９を押したときには、次の画面（問題確認画面）に移行する。
【００３２】
次に、終了のボタン５９を押すと、図１３に示すような、問題確認画面７０が表示される。この問題確認画面７０は、前の各画面により選択された問題を全て表示し確認するための画面であり、左側に前の画面で選択された項目を示す「学年：中学１年」、「教科：英語」、「用紙：英１」、「設問番号：１〜４」の表示領域７１と、右側に問題用紙の表題、設問番号と設問内容、選択された問題及びその解答が表示される表示領域７２と、下部側に前の画面に戻るボタン７３と、次の画面に移行するボタン７４とが設けられている。本実施形態では、表示領域７２に問題用紙の表示題になる「○△中学期末試験」の下部に、「１  次の各組の下線部の発音が同じ場合は○、違う場合は×で答えなさい。」が表示され、その下部に問題形式に対応する問題が番号順に表示されている。この表示領域７２は、選択された全ての問題を確認できるように必要に応じてスクロール表示される。戻るのボタン７３を押すと前の画面に戻り、次へのボタン７４を押すと、次の画面（最終確認画面）に移行する。
【００３３】
次に、次へのボタン７４を押すと、図１４に示すような、最終確認画面８０が表示される。この最終確認画面７０は、前の各画面により選択された問題を全て表示し最終確認するための画面であり、左側に前の画面で選択された項目を示す「学年：中学１年」、「教科：英語」、「用紙：英１」、「設問番号：１〜４」、「合計所要時間：４５分」の表示領域８１と、右側に問題用紙に配置された表題、設問番号と設問内容、選択された問題が表示される表示領域８２と、下部側に前の画面に戻るボタン８３と、最終決定するボタン８４とが設けられている。本実施形態では、表示領域８２に問題用紙の表題の下部に、「１  次の各組の下線部の発音が同じ場合は○、違う場合は×で答えなさい。」が表示され、その下部に問題形式に対応する問題が番号順に表示されている。この表示領域８２は、選択された全ての問題を確認できるように必要に応じてスクロール表示される。戻るのボタン７３を押すと前の画面に戻り、決定のボタン７４を押すと、問題配置手段２１ｃにより、選択された問題用紙に設問番号を付した設問内容の下部に問題を配置した情報が生成され、続いてこの生成された情報が問題作成支援サーバ１３からインターフェース装置１８と通信ネットワーク１１を介して利用者端末１２へ送信される。
【００３４】
上記構成の試験問題の作成支援システム１０では、利用者端末１２から通信ネットワーク１１を介して接続される問題作成支援サーバ１３へアクセスし、その問題作成手段２０を構成する問題検索手段２１ａ、問題検索手段２１ｂ、問題配置手段２１ｃにより、利用者端末１２のコンピュータ装置１５に接続されるディスプレイ装置１６に表示される画面により、指定した学年、教科及び問題用紙種類に基づいて問題用紙データベース２４から１つの問題用紙を検索して選択し、指定する設問番号について設問内容を設問登録データベース２５から検索して選択し、さらに指定する問題形式に基づいて問題登録データベース２７から検索して選択するとともに、選択に参考となる問題に関する情報を表示させ、選択した問題を問題用紙に配置した情報を生成し、この生成した情報を問題作成支援サーバ１３からインターフェース装置１３及び通信ネットワーク１１を介して利用者端末１２へ送信し、そのコンピュータ装置１５に接続されたプリンタ装置１７で印字するため、簡単な操作により多数の試験問題から生徒の状況に応じて適切な問題を選択することが可能になる。また、問題を問題用紙や問題形式に対応させて任意に選択できるとともに、その問題の関連する情報を参照することができるため、小テストや宿題等の作成も容易になる。通信ネットワーク１１により試験問題の作成を行うため、問題の追加、削除あるいは変更も容易にでき、内容の改善も簡単になる。さらには、問題の関連情報等を充実するすることで他の先生の試験問題の採用状況やレベルを知ることができ、試験問題に関する情報交換が可能になる。
【発明の効果】
以上説明したように本発明の試験問題の作成支援システムでは、利用者端末から通信ネットワークを介して接続される問題作成支援サーバへアクセスし、その問題作成手段により、指定した学年、教科及び問題用紙種類に基づいて問題用紙データベースから問題用紙を検索して選択し、指定する設問番号について設問内容を設問登録データベースから検索して選択し、さらに指定する問題形式に基づいて問題登録データベースから検索して選択し、この選択した問題を問題用紙に配置した情報を生成し、この生成した情報を問題作成支援サーバからインターフェース装置及び通信ネットワークを介して利用者端末へ送信するため、簡単な操作により多数の試験問題から生徒の状況に応じて適切な問題を選択し、試験問題を短時間で容易に作成でき、他の先生との間で試験問題に関する情報交換が可能になる。
【図面の簡単な説明】
【図１】本発明実施形態のネットワーク構成を説明する図である。
【図２】本発明実施形態の問題作成支援サーバとデータベースの構成を説明するブロック図である。
【図３】本発明実施形態の利用者登録データベースを構成する利用者テーブルを説明する図である。
【図４】本発明実施形態の問題登録データベースの一部を構成する問題テーブルを説明する図である。
【図５】本発明実施形態の問題登録データベースの一部を構成する問題関連テーブルを説明する図である。
【図６】本発明実施形態の設問登録データベースを構成する設問テーブルを説明する図である。
【図７】本発明実施形態の問題形式データベースを構成する問題形式テーブルを説明する図である。
【図８】本発明実施形態の問題作成支援サーバを中心とする動作を説明するフローチャートである。
【図９】本発明実施形態の初期選択画面を示す図である。
【図１０】本発明実施形態の設問選択画面を示す図である。
【図１１】本発明実施形態の問題選択画面を示す図である。
【図１２】本発明実施形態の問題選択参考画面を示す図である。
【図１３】本発明実施形態の問題確認画面を示す図である。
【図１４】本発明実施形態の最終確認画面を示す図である。
【図１５】本発明実施形態の表示画面の遷移状態を説明する図である。
【符号の説明】
１０  作成支援システム
１１  通信ネットワーク
１２  利用者端末
１３  問題作成支援サーバ
１４  データベース群
１５  コンピュータ装置
１６  ディスプレイ装置
１７  プリンタ装置
１８  インターフェース回路
１９  利用者登録手段
２０  問題処理手段
２１  問題作成手段
２１ａ  問題検索手段
２１ｂ  問題選択手段
２１ｃ  問題配置手段
２２  問題更新手段
２３  利用者登録データベース
２４  問題用紙データベース
２５  設問登録データベース
２６  問題形式データベース
２７  問題登録データベース
３０  初期選択画面
３１  選択領域
３２  表示領域
３３，３４，３５  ボタン
３６  キャンセルボタン
３７  ボタン
３８  入力領域
４０  設問選択画面
４１  表示領域
４２  選択領域
４３  入力領域
４４，４５，４６  ボタン
４７  表示領域
４８  設問入力領域
４９  ボックス
５０  問題選択画面
５１  表示領域
５２  選択領域
５３  ボタン
５４  表示領域
５５  ボックス
５６，５７，５８，５９  ボタン
６０  問題選択参考画面
６１  表示領域
６２  ボタン
７０  問題確認画面
７１，７２  表示領域
７３，７４  ボタン
８０  最終確認画面
８１，８２  表示領域
８３  戻るボタン
８４  最終決定するボタン
【図１】
0004300314.tif 000002
【図２】
0004300314.tif 000003
【図３】
0004300314.tif 000004
【図４】
0004300314.tif 000005
【図５】
0004300314.tif 000006
【図６】
0004300314.tif 000007
【図７】
0004300314.tif 000008
【図８】
0004300314.tif 000009
【図９】
0004300314.tif 000010
【図１０】
0004300314.tif 000011
【図１１】
0004300314.tif 000012
【図１２】
0004300314.tif 000013
【図１３】
0004300314.tif 000014
【図１４】
0004300314.tif 000015
【図１５】
0004300314.tif 000016